(57)【要約】      （修正有）【課題】自動的に分紙機能の切り替えが可能な分紙装置を提供する。【解決手段】分紙ローラーセット１０、片方向クラッチモジュール３０、伝動歯車セット、駆動モーター５０、及びフックモジュール６０を含み、該分紙ローラーセットは分紙ローラー軸１１、該分紙ローラー軸に固設する分紙ローラー１２及び、該分紙ローラーの上方に設置する給紙ローラー１３を含み、該分紙ローラーと該給紙ローラーは接触或いは離脱し、該片方向クラッチモジュールセットは歯車軸３１及び該歯車軸に設置する片方向クラッチ３２を含み、該片方向クラッチは片方向に回転することができ、該片方向クラッチが回転する際、該分紙ローラー軸を下向きに駆動することで、該分紙ローラーが該給紙ローラーから離脱し、該伝動歯車セットは片方向クラッチモジュールと接続して駆動し、該駆動モーターは伝動歯車セットを駆動するために用いられ、該フックモジュールはアーム６１、フック部６２、フッキング部６３及びスプリングを含む。【選択図】図３
0003211752.tif 000002
【実用新案登録請求の範囲】
【請求項１】
分紙ローラーセット、片方向クラッチモジュール、伝動歯車セット、駆動モーター、及びフックモジュールを含み、
該分紙ローラーセットに含まれるのは分紙ローラー軸、該分紙ローラー軸に固設する分紙ローラー及び、該分紙ローラーの上方に設置する給紙ローラーであり、該分紙ローラーと該給紙ローラーは接触或いは離脱し、
該片方向クラッチモジュールセットに含まれるのは歯車軸及び該歯車軸に設置する片方向クラッチであり、該片方向クラッチは片方向に回転することができ、該片方向クラッチが回転する際、該分紙ローラー軸を下向きに駆動することで、該分紙ローラーが該給紙ローラーから離脱し、
該伝動歯車セットは片方向クラッチモジュールと接続して駆動し、
該駆動モーターは伝動歯車セットを駆動するために用いられ、
該フックモジュールに含まれるのはアーム、フック部、フッキング部及びスプリングであり、
該アームの一端を該歯車軸に固定して設置し、該アームの別端を該分紙ローラー軸に固設し、該フック部を該アームに固設し、且つ該分紙ローラーの下方に位置し、該フッキング部は分紙装置の該フック部の下方に固設し、該スプリングを該アームの下方に設置し、弾性的に該アームを押すことができ、
その中で、該駆動モーターは正転し、該伝動歯車セットは該片方向クラッチを駆動して正転し、それにより該歯車軸を駆動して正転し、該アームが正転し、該フック部は下向きに動いて該フッキング部にフッキングし、該スプリングが圧縮され、該分紙ローラーと該給紙ローラーが離脱して分紙機能が無くなり、該駆動モーターが反転し、該片方向クラッチが空回りして該アーム及び該フック部を上向きに駆動できず、該フック部と該フッキング部はフッキングした状態を保ち、該分紙ローラーと該給紙ローラーは引き続き離脱して該スプリングが圧縮され、該給紙ローラーが正転して紙が入り、該駆動モーターは再度正転し、該伝動歯車セットは該片方向クラッチを駆動して正転し、それにより該アームが正転し、該フック部は更に下向きに動くことで、該フック部はフッキング部から離脱し、該スプリングは元に戻る弾力性で該フック部を上向きに押し上げ、該分紙ローラーが元の位置に戻り、該給紙ローラーは反転し、該分紙ローラーと該給紙ローラーが接触して分紙機能に達することを特徴とする分紙装置。
【請求項２】
更に紙送りローラーセットを含み、該紙送りローラーセットに含まれるのは紙送りローラーであり、前記伝動歯車セットに含まれるのは、駆動モーターがベルトを通じて接続する伝動歯車であり、該駆動モーターは該伝動歯車と接続して駆動し、該伝動歯車は該片方向クラッチモジュールの該歯車軸と接続して駆動し、該伝動歯車は該紙送りローラーと接続して駆動し、該伝動歯車は該給紙ローラーを駆動することを特徴とする請求項１記載の分紙装置。
【考案の詳細な説明】
【技術分野】
【０００１】
本考案は分紙装置に関し、特に構造がシンプル、コストが低く、自動的に分紙機能の切り替えが可能な分紙装置に関する。
【背景技術】
【０００２】
ソフトハードウェアの進歩に従い、スキャナは既にパソコンユーザーの基本設備の一つになっている。文書、雑誌、書籍、写真など、文字或いは画像材料をパソコンに取り込んで処理することができる。連続用紙、複写紙、三連式のインボイスなど特殊の紙に対応でき、正常にスキャナ及び原稿にダメージを与えないのを確保するために、従来のスキャナの分紙装置の分紙切り替え構造の多くは、手動でそれを分離する。図１に示すように、一種の従来分紙装置１００’に含まれるのは一つの給紙ローラーセット１０’、一つの分紙ローラーセット２０’、一つの伝動ローラーセット３０’及び分紙ローラーセット２０’と伝動ローラーセット３０’を噛合或いは離脱を制御できるプッシュレバー４０’である。給紙ローラーセット１０’に含まれるのは一つの給紙ローラー１１’及び一つの給紙ローラー軸１２’である。分紙ローラーセット２０’に含まれるのは一つの分紙ローラー軸２１’、一つの分紙ローラー軸２１’と同じ軸で接続する分紙同軸歯車２２’及び一つの分紙ローラー軸２１’に固定する分紙ローラー２３’であり、分紙ローラー２３’の片側に一つのひねり制限器５０’を接続固定する。伝動ローラーセット３０’に含まれるのは回転不可の一つの固定歯車３１’である。使用操作する際、プッシュレバー４０’により固定歯車３１’は分紙の同軸歯車２２’と噛合する。この時、分紙ローラー軸２１’は回転することができず、ひねり制限器５０’は分紙するパワーを提供し、分紙する機能を具有する。プッシュレバーにより固定歯車３１’が分紙同軸歯車２２’と離脱し、この時分紙ローラー軸２１’が回転し、ひねり制限器５０’は分紙ローラー軸２１’に従って共に回転する。分紙ローラー２３’が回転し、給紙ローラー１１’に合わせて紙が入り、特殊紙のスキャナを進行する。
【０００３】
しかし、従来の分紙装置１００’が使用する部材は比較的多く、且つ別途スペース設計の構造が必要であるため、ソフトウェアを使って自動制御することができず、ハイコストであることなどを鑑みて、更なる改善が必要であった。
【先行技術文献】
【特許文献】
【０００４】
【特許文献１】実用新案登録第3160777号公報
【考案の概要】
【考案が解決しようとする課題】
【０００５】
前記公知構造の欠点を解決するため、本考案は構造がシンプル、コストが低く、自動的に分紙機能の切り替えが可能な分紙装置を提供することを主な課題とする。
【課題を解決するための手段】
【０００６】
上述の目的を解決するために、本考案は分紙装置を提供するものである。それに含まれるのは一つの分紙ローラーセット、一つの片方向クラッチモジュール、一つの伝動歯車セット、一つの駆動モーター、及び一つのフックモジュールである。分紙ローラーセット含まれるのは分紙ローラー軸、分紙ローラー軸に固設する分紙ローラー及び、分紙ローラーの上方に設置する給紙ローラーである。分紙ローラーと給紙ローラーは接触或いは離脱する。片方向クラッチモジュールセットに含まれるのは一つの歯車軸及び歯車軸に設置する一つの片方向クラッチである。片方向クラッチは片方向に回転することができ、片方向クラッチが回転する際、分紙ローラー軸を下向きに駆動することで、分紙ローラーが給紙ローラーから離脱する。伝動歯車セットは片方向クラッチモジュールと接続して駆動する。駆動モーターは伝動歯車を駆動するために用いる。フックモジュールに含まれるのは一つのアーム、一つのフック部、一つのフッキング部及び一つのスプリングである。アームの一端を歯車軸に固定して設置し、アームの別端を分紙ローラー軸に固設する。フック部をアームに固設し、且つ分紙ローラーの下方に位置する。フッキング部は分紙装置のフック部の下方に固設する。スプリングをアームの下方に設置し、弾性的にアームを押すことができる。その中、駆動モーターは正転し、伝動歯車セットは片方向クラッチを駆動して正転し、それにより歯車軸を駆動して正転し、アームが正転する。フック部は下向きにフック部まで動いてフッキング部にフッキングし、スプリングが圧縮され、分紙ローラーと給紙ローラーが離脱して分紙機能が無くなる。駆動モーターが反転し、片方向クラッチが空回りしてアーム及びフック部を上向きに駆動できない。フック部とフッキング部はフッキングした状態を保つ。分紙ローラーと給紙ローラーは引き続き離脱してスプリングが圧縮され、給紙ローラーが正転して紙が入る。駆動モーターは再度正転し、伝動歯車セットは片方向クラッチを駆動して正転し、それによりアームが正転する。フック部は更に下向きに動くことで、フック部はフッキング部から離脱し、スプリングは元に戻る弾力性でフック部を上向きに押し上げる。分紙ローラーが元の位置に戻り、給紙ローラーは反転し、分紙ローラーと給紙ローラーが接触して分紙機能に達する。
【０００７】
上に述べるように、本考案の分紙装置は駆動モーターが正転することを介し、伝動歯車セットは片方向クラッチを駆動して正転し、それにより歯車軸を駆動して正転し、アームが正転する。フック部は下向きにフック部にまで動いてフッキング部をフッキングし、スプリングが圧縮され、分紙ローラーと給紙ローラーが離脱して、分紙機能がない。駆動モーターが反転し、片方向クラッチが空回りしてアーム及びフック部を上向きに駆動できない。フック部とフッキング部がフッキングした状態を保ち、分紙ローラーと給紙ローラーは引き続き離脱してスプリングが圧縮され、給紙ローラーは正転して紙が入る。駆動モーターは再度正転し、伝動歯車セットは片方向クラッチを駆動して正転し、それによりアームを駆動して正転する。フック部は更に下向きに動くことで、フック部がフッキング部から離脱し、スプリングが元に戻る弾力性でフック部を上向きに押し上げる。分紙ローラーが元の位置に戻り、給紙ローラーが反転し、分紙ローラーと給紙ローラーが接触して分紙の機能に達する。よって、自動的に分紙機能の切り替えを実現し、且つ構造がシンプルでコストを下げる。
【考案の効果】
【０００８】
本考案の設置によって、自動的に分紙機能の切り替えを実現し、且つ構造がシンプルでコストを下げることができる。
【図面の簡単な説明】
【０００９】
【図１】従来技術の分紙装置の立体図である。
【図２】本考案の分紙装置の立体図である。
【図３】図２に示す分紙装置が具有する分紙機能の状態の側面図である。
【図４】図２に示す分紙装置に分紙機能がない状態の側面図である。
【考案を実施するための形態】
【００１０】
以下、本考案の構造と特徴および効果を、最良実施例と図面を参照しながら詳細に説明する。
【実施例】
【００１１】
図２から図４に示すように、本考案は分紙装置１００であり、それを一つの自動紙送り器１の中に設置し、異なる種類の紙を分紙するのに用いることができる。分紙装置１００に含まれるのは一つの分紙ローラーセット１０、一つの紙送りローラーセット２０、一つの片方向クラッチモジュール３０、一つの伝動歯車セット４０、一つの駆動モーター５０、及び一つのフックモジュール６０である。本実施例において、図３の時計回りを正転と定義する。分紙装置１００が作動する際、紙は右側から入る。
【００１２】
図２から図４に示すように、前記分紙ローラーセット１０に含まれるのは一つの分紙ローラー軸１１、分紙ローラー軸１１に固設する分紙ローラー１２及び、分紙ローラー１２の上方に設置する給紙ローラー１３である。分紙ローラー１２と給紙ローラー１３は接触或いは離脱する。具体的に分紙ローラー１１は分紙ローラー軸１２に設置し、分紙装置１００が作動していない時、分紙ローラー１１と給紙ローラー１３は接触する。
【００１３】
前記紙送りローラーセット２０に含まれるのは一つの紙送りローラー２１である。
【００１４】
前記片方向クラッチモジュールセット３０に含まれるのは一つの歯車軸３１及び歯車軸３１に設置する一つの片方向クラッチ３２である。片方向クラッチ３２は片方向に回転することができ、片方向クラッチ３２が回転する際、分紙ローラー軸１１を下向きに駆動することで、分紙ローラー１２が給紙ローラー１３から離脱する。
【００１５】
図２から図４に示すように、前記伝動歯車セット４０は片方向クラッチモジュール３０と接続して駆動する。具体的に伝動歯車セット４０に含まれるのは駆動モーター５０がベルトを通じて接続する一つの伝動歯車４１である。駆動モーター５０は伝動歯車４１を接続して駆動し、伝動歯車セット４０の伝動歯車４１は片方向クラッチモジュール３０の歯車軸３１と接続して駆動し、伝動歯車４１は紙送りローラー２１と接続して駆動し、伝動歯車４１は給紙ローラー１３を駆動する。
【００１６】
前記駆動モーター５０は伝動歯車セット４０を駆動するために用いる。具体的に駆動モーター５０は伝動歯車４１と接続して駆動する。
【００１７】
前記フックモジュール６０に含まれるのは一つのアーム６１、一つのフック部６２、一つのフッキング部６３及び一つのスプリング６４である。アーム６１の一端を歯車軸３１に固定して設置し、アーム６１の別端を分紙ローラー軸１１に固設する。フック部６２をアーム６１に固設し、且つ分紙ローラー１２の下方に位置する。フッキング部６３は分紙装置１００のフック部６２の下方に固設する。スプリング６４をアーム６１の下方に設置し、弾性的にアーム６１を押すことができる。
【００１８】
その中、駆動モーター５０は正転し、伝動歯車セット４０は片方向クラッチ３２を駆動して正転し、それにより歯車軸３１を駆動して正転し、アーム６１が正転する。フック部６２は下向きにフック部６２まで動いてフッキング部６３にフッキングし、スプリング６３が圧縮され、分紙ローラー１２と給紙ローラー１３が離脱して分紙機能が無くなる。駆動モーター５０が反転し、片方向クラッチ３２が空回りしてアーム６１及びフック部６２を上向きに駆動できない。フック部６２とフッキング部６３はフッキングした状態を保つ。分紙ローラー１２と給紙ローラー１３は引き続き離脱してスプリング６４が圧縮され、給紙ローラー１３が正転して紙が入る。駆動モーター５０は再度正転し、伝動歯車セット４０は片方向クラッチ３２を駆動して正転し、それによりアーム６１が正転する。フック部６２は更に下向きに動くことで、フック部６２はフッキング部６３から離脱し、スプリングは元に戻る弾力性でフック部６２を上向きに押し上げる。分紙ローラー１２が元の位置に戻り、給紙ローラー１３は反転し、分紙ローラー１２と給紙ローラー１３が接触して分紙機能に達する。
【００１９】
図３に示すように、本考案の分紙装置１００が作動していない場合、分紙ローラー１２と給紙ローラー１３が接触する。本考案の分紙装置１００が作動している場合、図４に示すように、駆動モーター５０は正転し、伝動歯車セット４０は片方向クラッチ３２を駆動して正転し、それにより歯車軸３１を駆動して正転し、アーム６１が正転する。フック部６２は下向きにフック部６２にまで動いてフッキング部６３にフッキングし、スプリング６４が圧縮され、分紙ローラー１２と給紙ローラー１３が離脱する。この時、分紙装置１００には分紙機能は具有しない。しかし、駆動モーター５０が反転し、図４に示すように、片方向クラッチ３２が空回りしてアーム６１及びフック部６２を上向きに駆動できず、フック部６２とフッキング部６３はフッキングした状態を保つ。分紙ローラー１２と給紙ローラー１３は引き続き離脱してスプリング６４が圧縮され、給紙ローラー１３が正転して紙が入る。最後に駆動モーター５０は再度正転し、図３に示すように、伝動歯車セット４０は片方向クラッチ３２を駆動して正転し、それによりアーム６１を駆動して正転する。フック部６２は更に下向きに動くことで、フック部６２はフッキング部６３から離脱し、スプリング６４は元に戻る弾力性でフック部６２を上向きに押し上げる。分紙ローラー１２が元の位置に戻り、給紙ローラー１３が反転する。この時分紙装置１００は分紙機能を具有する。
【００２０】
上に述べるように、本考案の分紙装置１００は駆動モーター５０が正転することを介し、伝動歯車セット４０は片方向クラッチ３２を駆動して正転し、それにより歯車軸３１を駆動して正転し、アーム６１が正転する。フック部６２は下向きにフック部６２にまで動いてフッキング部６３をフッキングし、スプリング６４が圧縮され、分紙ローラー１２と給紙ローラー１３が離脱して、分紙機能がない。駆動モーター５０が反転し、片方向クラッチ３２が空回りしてアーム６１及びフック部６２を上向きに駆動できない。フック部６２とフッキング部６３がフッキングした状態を保ち、分紙ローラー１２と給紙ローラー１３は引き続き離脱してスプリング６４が圧縮され、給紙ローラー１３は正転して紙が入る。駆動モーター５０は再度正転し、伝動歯車セット４０は片方向クラッチ３２を駆動して正転し、それによりアーム６１を駆動して正転する。フック部６２は更に下向きに動くことで、フック部６２がフッキング部６３から離脱し、スプリング６４が元に戻る弾力性でフック部６２を上向きに押し上げる。分紙ローラー１２が元の位置に戻り、給紙ローラー１３が反転し、分紙ローラー１２と給紙ローラー１３が接触して分紙の機能に達する。よって本考案の分紙装置１００は自動的に分紙機能の切り替えを実現し、且つ構造がシンプルでコストを下げることができる。
【００２１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２２】
１００  分紙装置
１０  分紙ローラーセット
１１  分紙ローラー軸
１２  分紙ローラー
１３  給紙ローラー
２０  紙送りローラーセット
２１  紙送りローラー
３０  片方向クラッチモジュール
３１  歯車軸
３２  片方向クラッチ
４０  伝動歯車セット
４１  伝動歯車
５０  駆動モーター
６０  フックモジュール
６１  アーム
６２  フック部
６３  フッキング部
【図１】
0003211752.tif 000003
【図２】
0003211752.tif 000004
【図３】
0003211752.tif 000005
【図４】
0003211752.tif 000006